(57)【要約】【課題】施設に関する情報の選択可能な付帯情報をデータベースに格納し、前記施設の利用者が選択した情報が前記利用者が選択したタイミングで前記利用者の所持する携帯情報端末に提供されるようにして、前記利用者が、不要な情報に煩わされることなく、前記施設に関する所望の情報を適切なタイミングで容易に、かつ、確実に取得することができるようにする。【解決手段】施設１１を利用する利用者１６が所持する携帯情報端末１５と、前記施設１１に関する情報を登録するデータベースを備え、前記利用者１６があらかじめ選択した情報を前記利用者１６があらかじめ選択したタイミングで前記携帯情報端末１５に送信するサーバとを有し、前記データベースは前記情報の選択可能な付帯情報を格納する。【選択図】図１
2005352827.tif 000002
【特許請求の範囲】
【請求項１】
（ａ）施設を利用する利用者が所持する携帯情報端末と、
（ｂ）前記施設に関する情報を登録するデータベースを備え、前記利用者があらかじめ選択した情報を前記利用者があらかじめ選択したタイミングで前記携帯情報端末に送信するサーバとを有し、
（ｃ）前記データベースは前記情報の選択可能な付帯情報を格納することを特徴とする施設情報提供システム。
【請求項２】
前記情報を前記データベースに登録するデータ登録用端末を有する請求項１に記載の施設情報提供システム。
【請求項３】
前記情報は、電子メール又は音声データとして前記携帯情報端末に送信される請求項１又は２に記載の施設情報提供システム。
【請求項４】
前記情報は、前記施設の設備に関する情報である請求項１〜３のいずれか１項に記載の施設情報提供システム。
【請求項５】
（ａ）コンピュータシステムを、
（ｂ）施設を利用する利用者が所持する携帯情報端末、及び、
（ｃ）前記施設に関する情報を登録するデータベースを備え、前記利用者があらかじめ選択した情報を前記利用者があらかじめ選択したタイミングで前記携帯情報端末に送信するサーバとして機能させ、
（ｄ）前記データベースは前記情報の選択可能な付帯情報を格納することを特徴とする施設情報提供プログラム。
【発明の詳細な説明】
【技術分野】
【０００１】
本発明は、施設情報提供システムに関するものである。
【背景技術】
【０００２】
従来、遊園地、スキー場等の施設においては、該施設内に配設された掲示板の表示、スピーカからの音声放送等によって、前記施設における設備やサービスの利用時間等の情報を施設の利用者に対して提供するようになっている。例えば、遊園地における乗り物やレストランの位置を示す地図を掲示板に表示したり、スキー場におけるリフトの運行終了時刻をスピーカからの音声放送によって通知したりするようになっている。
【０００３】
しかし、前記掲示板は施設内における特定の場所に配設されているので、利用者が掲示板を見つけることができない場合がある。この場合、利用者は前記掲示板に表示された施設の情報を取得することができなくなってしまう。また、スピーカからの音声放送は一過性のものであるので、利用者が音声放送を聞き逃してしまう場合がある。この場合、利用者は音声放送された施設の情報を取得することができなくなってしまう。
【０００４】
そこで、施設の利用者が所持する携帯情報端末に情報を送信することによって、施設に関する情報を利用者に提供するシステムが提案されている（例えば、特許文献１参照。）。この場合、前記携帯情報端末の位置を特定して、利用者の現在位置を表示した施設の地図、現在位置から目的地までの経路を表示した地図等の情報が前記携帯情報端末の表示手段に表示されるようになっている。
【特許文献１】特開２００２−２６８０４号公報
【発明の開示】
【発明が解決しようとする課題】
【０００５】
しかしながら、前記従来のシステムにおいては、提供される情報を利用者が選択することができないので、携帯情報端末に利用者にとって不要な情報も送信され、利用者が煩わしく感じてしまう。また、情報が提供されるタイミングを利用者が選択することができないので、提供された情報を利用者が活用することができなくなってしまう。例えば、スキー場におけるリフトの運行終了時刻の情報がリフトの運行開始早々に提供されても、利用者は運行終了時刻について忘れてしまうので、前記情報は活用されないものとなる。
【０００６】
本発明は、前記従来のシステムの問題点を解決して、施設に関する情報の選択可能な付帯情報をデータベースに格納し、前記施設の利用者が選択した情報が前記利用者が選択したタイミングで前記利用者の所持する携帯情報端末に提供されるようにして、前記利用者が、不要な情報に煩わされることなく、前記施設に関する所望の情報を適切なタイミングで容易に、かつ、確実に取得することができる施設情報提供システムを提供することを目的とする。
【課題を解決するための手段】
【０００７】
そのために、本発明の施設情報提供システムにおいては、施設を利用する利用者が所持する携帯情報端末と、前記施設に関する情報を登録するデータベースを備え、前記利用者があらかじめ選択した情報を前記利用者があらかじめ選択したタイミングで前記携帯情報端末に送信するサーバとを有し、前記データベースは前記情報の選択可能な付帯情報を格納する。
【０００８】
本発明の他の施設情報提供システムにおいては、さらに、前記情報を前記データベースに登録するデータ登録用端末を有する。
【０００９】
本発明の更に他の施設情報提供システムにおいては、さらに、前記情報は、電子メール又は音声データとして前記携帯情報端末に送信される。
【００１０】
本発明の更に他の施設情報提供システムにおいては、さらに、前記情報は、前記施設の設備に関する情報である。
【００１１】
本発明の施設情報提供プログラムにおいては、コンピュータシステムを、施設を利用する利用者が所持する携帯情報端末、及び、前記施設に関する情報を登録するデータベースを備え、前記利用者があらかじめ選択した情報を前記利用者があらかじめ選択したタイミングで前記携帯情報端末に送信するサーバとして機能させ、前記データベースは前記情報の選択可能な付帯情報を格納する。
【発明の効果】
【００１２】
本発明によれば、施設に関する情報の選択可能な付帯情報をデータベースに格納し、前記施設の利用者が選択した情報が前記利用者が選択したタイミングで前記利用者の所持する携帯情報端末に提供されるようになっている。そのため、前記利用者は、不要な情報に煩わされることなく、前記施設に関する所望の情報を適切なタイミングで容易に、かつ、確実に取得することができる。
【発明を実施するための最良の形態】
【００１３】
以下、本発明の実施の形態について図面を参照しながら詳細に説明する。
【００１４】
図１は本発明の実施の形態における施設情報提供システムの構成を示す図である。
【００１５】
図において、１０は施設情報提供システムであり、施設１１を利用する利用者１６に前記施設１１に関する種々の情報を提供するためのシステムである。ここで、前記施設１１は、利用者１６が娯楽、スポーツ、食事、休息、宿泊、その他の目的で、有料又は無料で利用する施設であり、例えば、テーマパーク、アミューズメントパーク、遊園地、ゲームセンタ等の娯楽施設、旅館、ホテル等の宿泊施設、レストラン、食堂、喫茶店等の飲食施設、ショッピングセンタ、スーパーマーケット、コンビニエンスストア、百貨店、ショッピングモール等の商業施設、スキー場、ゴルフ場、海水浴場、プール、フィットネスジム等のスポーツ施設、映画館、劇場、演芸場等の演劇鑑賞施設、陸上競技場、サッカー競技場、野球スタジアム、競馬場等のスポーツ観覧施設、博覧会場、住宅展示場、ビジネス展示場等の展示施設、美術館、博物館等の文化施設等であるが、いかなる種類の施設であってもよい。なお、ここでは、説明の都合上、前記施設１１がスキー場である場合について説明する。
【００１６】
そして、１２は、前記施設１１に配設され、利用者１６が利用するスキーリフト、ゴンドラ、ロープウェイ等の昇降設備としてのリフトである。また、１３は、前記施設１１に配設され、利用者１６が利用するレストラン、食堂、喫茶店、カフェテリア等の飲食設備としての飲食店である。さらに、１４は、前記施設１１と図示されない鉄道の駅との間で利用者１６を運搬する定期バス、旅館、ホテル等へ利用者１６を送迎する送迎バス、施設１１内を循環して利用者１６を運搬する循環バス等の運搬設備としてのバスである。なお、前記施設１１には、各種の設備が複数配設されているが、ここでは、前記リフト１２、飲食店１３及びバス１４ですべての設備を代表する。
【００１７】
ここで、前記利用者１６は、携帯情報端末１５を服のポケット、リュックサック、ウェストポーチ等に入れたり、身に付けたりすることによって携帯している。前記携帯情報端末１５は利用者１６が所有するものであってもよいし、前記施設１１において有料又は無料で貸し出しているものであってもよい。なお、前記携帯情報端末１５は、ＣＰＵ、ＭＰＵ等の演算手段、磁気ディスク、半導体メモリ等の記憶手段、キーボード、マウス、リモートコントローラ、タッチパネル等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段、音声案内を出力するためのスピーカ等の音声出力装置、通信インターフェイス等を備えるコンピュータであり、音声データを受信して音声案内を出力する機能又は電子メールを受信して表示する機能を備えるものであれば、いかなる種類のものであってもよい。前記携帯情報端末１５は、例えば、携帯電話機又はＰＨＳ（Ｐｅｒｓｏｎａｌ  Ｈａｎｄｙ−Ｐｈｏｎｅ  Ｓｙｓｔｅｍ）電話機であるが、電子手帳、ＰＤＡ（Ｐｅｒｓｏｎａｌ  Ｄｉｇｉｔａｌ  Ａｓｓｉｓｔａｎｔ）、ゲーム機、デジタルテレビ、ウェアラブルコンピュータ等、携帯可能なものであれば、いかなる形態のものであってもよい。
【００１８】
そして、前記携帯情報端末１５は、ネットワーク２５に通信可能に接続することができるようになっている。該ネットワーク２５は、無線又は有線の専用通信回線網又は公衆通信回線網、インターネット、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、衛星通信回線網等、いかなる通信回線網であってもよく、これらを適宜組み合わせたものであってもよい。
【００１９】
本実施の形態において、前記施設１１にはシステム管理センタ２１が配設されている。該システム管理センタ２１は、前記施設１１に関する情報を管理して利用者１６に対して提供するようになっている。ここでは、前記施設１１に関する情報が、リフト１２、飲食店１３及びバス１４に関する情報であるものとして説明する。そして、前記システム管理センタ２１は、データ登録用端末２２及びサーバとしてのＣＴＩ（Ｃｏｍｐｕｔｅｒ  Ｔｅｌｅｐｈｏｎｙ  Ｉｎｔｅｇｒａｔｉｏｎ）サーバ２３を有する。そして、前記データ登録用端末２２とＣＴＩサーバ２３とはセンタ内ＬＡＮ２４によって通信可能に接続されている。
【００２０】
前記データ登録用端末２２は、ＣＴＩサーバ２３にリフト１２、飲食店１３及びバス１４に関する情報を登録するために、前記リフト１２、飲食店１３及びバス１４の管理者等が操作する装置である。そして、前記データ登録用端末２２は、ＣＰＵ、ＭＰＵ等の演算手段、磁気ディスク、半導体メモリ等の記憶手段、キーボード、マウス等の入力手段、ＣＲＴ、液晶ディスプレイ等の表示手段、通信インターフェイス等を備える一種のコンピュータであり、例えば、パーソナルコンピュータ、ワークステーション等であるが、携帯電話機、ＰＨＳ電話機、電子手帳、ＰＤＡ、ゲーム機、デジタルテレビ、ウェアラブルコンピュータ等、いかなる形態のものであってもよい。
【００２１】
また、前記ＣＴＩサーバ２３は、ＣＴＩ機能を備え、前記リフト１２、飲食店１３及びバス１４に関する情報を管理し、前記ネットワーク２５に通信可能に接続することができる。そして、前記ＣＴＩサーバ２３は、前記利用者１６が選択した情報を前記利用者１６が選択したタイミングで、音声データ又は電子メールとして前記携帯情報端末１５に送信する。また、前記ＣＴＩサーバ２３は、ＣＰＵ、ＭＰＵ等の演算手段、磁気ディスク、半導体メモリ等の記憶手段、キーボード、マウス等の入力手段、ＣＲＴ、液晶ディスプレイ等の表示手段、通信インターフェイス等を備える一種のコンピュータであり、例えば、パーソナルコンピュータ、ワークステーション等であるが、いかなる形態のものであってもよい。さらに、前記ＣＴＩサーバ２３は、単独のコンピュータであってもよいし、複数のコンピュータを有機的に結合した分散型サーバと称されるものであってもよいし、他のコンピュータと一体的に構成されたものであってもよいし、大型のコンピュータの中に構築された複数のシステムの中の一部であってもよい。
【００２２】
次に、前記ＣＴＩサーバ２３の構成について詳細に説明する。
【００２３】
図２は本発明の実施の形態におけるＣＴＩサーバの機能構成を示すブロック図、図３は本発明の実施の形態におけるデータベースの構成例を示す図である。
【００２４】
前記ＣＴＩサーバ２３は、機能の観点から、図２に示されるような構成を有する。図２おいて、３１はセンタ内ＬＡＮ２４を介してデータ登録用端末２２と通信を行うためのデータ登録用端末インターフェイス部３１であり、３８はネットワーク２５を介して携帯情報端末１５と通信を行うためのネットワークインターフェイス部３８である。そして、３２は、前記データ登録用端末２２によって登録された施設１１に関する情報としてのデータを格納するデータベースである。また、３７は所定のプログラムに従って動作を行う演算制御部である。
【００２５】
そして、３３は該演算制御部３７にＣＴＩサーバ２３としての動作を行わせるためのプログラムを格納するプログラム格納部であり、データ配信プログラム３３ａ、電子メール作成プログラム３３ｂ、音声案内作成プログラム３３ｃ及びデータベース作成プログラム３３ｄを備える。前記データ配信プログラム３３ａは、前記データベース３２に格納されたデータの中から、前記利用者１６が選択した情報を前記利用者１６が選択したタイミングで前記携帯情報端末１５に送信する動作を行わせるプログラムである。そして、前記電子メール作成プログラム３３ｂは、前記利用者１６が選択した情報を前記携帯情報端末１５に送信するための電子メールを作成する動作を行わせるプログラムである。また、前記音声案内作成プログラム３３ｃは、前記利用者１６が選択した情報を前記携帯情報端末１５に音声案内させるための音声案内情報を作成する動作を行わせるプログラムである。さらに、前記データベース作成プログラム３３ｄは、前記データベース３２を作成する動作を行わせるプログラムである。
【００２６】
ここで、前記データベース３２には、図３に示されるような情報が格納されている。現在時刻のコラムには、現在の年、月、日、時、分、秒が格納されている。また、氏名のコラムには、登録された利用者１６の氏名が格納されている。さらに、データ配信先のコラムには、氏名のコラムに氏名が格納された各利用者１６の電子メールアドレス又は電話番号が、利用者１６が選択した情報を音声データ又は電子メールとして携帯情報端末１５に送信するための送信先として格納されている。
【００２７】
そして、前記データベース３２においては、情報の性質によって属性が設定されている。本実施の形態においては、施設１１の利用者１６が受け取る情報のデータ形式の種類を属性Ａとし、情報の内容であるデータ種類を属性Ｂとし、該属性Ｂの付帯情報を属性Ｃとして分類している。このように属性を分けることによって、新規の情報を追加する場合や既存の情報を更新する場合に、編集が容易であり、異なる性質の情報を連動させることが簡便となる。
【００２８】
ここで、属性Ａのコラムには、携帯情報端末１５に送信する情報のデータ形式が電子メールであるか又は音声データのいずれが設定されているかが示されている。そして、属性Ｂのコラムには、前記利用者１６が選択した情報がデータ種類として設定され、また、前記情報を携帯情報端末１５に送信するタイミングがデータ配信タイミングとして設定されている。ここで、前記利用者１６が選択した情報は、例えば、リフト１２の稼働時間、飲食店１３の営業時間、バス１４の発車時刻等であり、また、前記情報を携帯情報端末１５に送信するタイミングは、例えば、リフト１２の稼働時間終了の３０分前、１時間毎、バス１４の到着時刻の３０分前、１２時００分、１５時００分等である。
【００２９】
また、属性Ｃのコラムには、前記属性Ｂの付帯情報の有無、及び、該付帯情報がある場合にその内容が示されている。例えば、携帯情報端末１５に送信する情報のデータ形式が電子メールであって、前記利用者１６が選択した情報がリフト１２の稼働時間である場合、その付帯情報は、リフト１２の乗り場の地図及びリフト１２の運行情報、並びに、前記利用者１６が前記情報を携帯情報端末１５に送信するタイミングを指定したか否かを示す時刻指定の有無である。また、例えば、携帯情報端末１５に送信する情報のデータ形式が音声であって、前記利用者１６が選択した情報がリフト１２の稼働時間である場合、その付帯情報は、リフト１２の乗り場の音声案内及びリフト１２の運行情報、並びに、時刻指定の有無である。さらに、例えば、携帯情報端末１５に送信する情報のデータ形式が音声であって、前記利用者１６が選択した情報が飲食店１３の営業時間である場合、その付帯情報は、飲食店１３の位置の音声案内及び店舗の広告、並びに、時刻指定の有無である。さらに、例えば、携帯情報端末１５に送信する情報のデータ形式が音声であって、前記利用者１６が選択した情報がバス１４の発車時刻である場合、その付帯情報は、バス１４の乗り場の音声案内及び交通情報、並びに、時刻指定の有無である。さらに、例えば、携帯情報端末１５に送信する情報のデータ形式が電子メールであって、前記利用者１６が選択した情報が飲食店１３の営業時間である場合、その付帯情報は、飲食店１３の地図及び店舗の広告、並びに、時刻指定の有無である。
【００３０】
そして、データ配信時刻のコラムには、情報を携帯情報端末１５に送信するタイミングが示されている。該タイミングは、属性Ｃにおいて前記利用者１６が前記情報を携帯情報端末１５に送信するタイミングを指定したことが示されている場合、前記利用者１６によって指定された時刻であり、属性Ｃにおいて前記利用者１６が前記情報を携帯情報端末１５に送信するタイミングを指定したことが示されていない場合、属性Ｂで設定されたデータ配信タイミングである。
【００３１】
次に、前記構成の施設情報提供システム１０の動作について説明する。
【００３２】
図４は本発明の実施の形態における施設情報提供システムの動作を示すフローチャートである。
【００３３】
まず、ＣＴＩサーバ２３は、登録するデータがあるか否か、すなわち、データベース３２に登録する情報があるか否かを判断する。そして、登録する情報がある場合にはデータ登録処理を実行する。
【００３４】
続いて、前記ＣＴＩサーバ２３は、データベース３２を参照し、データ配信時刻のコラムをチェックする。そして、配信するデータがあるか否か、すなわち、利用者１６が選択した情報であって現在の時刻が配信時刻として登録されている情報があるか否かを判断する。そして、配信する情報がない場合には、再び、登録するデータがあるか否かを判断して、前述の動作を繰り返す。また、配信する情報がある場合、前記ＣＴＩサーバ２３は、前記情報を配信するデータ形式、すなわち、属性Ａとして設定されたデータ形式を判断する。そして、データ形式が電子メールである場合、前記ＣＴＩサーバ２３は、前記利用者１６が選択した情報を携帯情報端末１５に送信するための電子メールのデータを作成する。続いて、前記ＣＴＩサーバ２３は、データを作成した電子メールを前記携帯情報端末１５に送信する。これにより、利用者１６は、携帯情報端末１５を操作して、受信した電子メールを表示手段に表示させて閲覧することができ、所望の情報を取得することができる。そして、前記ＣＴＩサーバ２３は、再び、登録するデータがあるか否かを判断して、前述の動作を繰り返す。
【００３５】
また、データ形式が音声である場合、前記ＣＴＩサーバ２３は、前記利用者１６が選択した情報を携帯情報端末１５に送信するための音声データを作成する。続いて、前記ＣＴＩサーバ２３は、作成した音声データを前記携帯情報端末１５に送信する。これにより、利用者１６は、携帯情報端末１５を操作して、音声データを音声出力装置から音声出力させて聴くことができ、所望の情報を取得することができる。そして、前記ＣＴＩサーバ２３は、再び、登録するデータがあるか否かを判断して、前述の動作を繰り返す。
【００３６】
次に、フローチャートについて説明する。
ステップＳ１  登録するデータがあるか否かを判断する。登録するデータがある場合はステップＳ２に進み、登録するデータがない場合はステップＳ３に進む。
ステップＳ２  データ登録処理を実行する。
ステップＳ３  データベース３２を参照する。
ステップＳ４  配信するデータがあるか否かを判断する。配信するデータがある場合はステップＳ５に進み、配信するデータがない場合はステップＳ１に戻る。
ステップＳ５  配信するデータ形式が電子メールであるか音声であるかを判断する。配信するデータ形式が電子メールである場合はステップＳ６に進み、配信するデータ形式が音声である場合はステップＳ８に進む。
ステップＳ６  電子メールのデータを作成する。
ステップＳ７  電子メールを送信する。
ステップＳ８  音声データを作成する。
ステップＳ９  音声データを送信する。
【００３７】
次に、前記データ登録処理における動作について説明する。
【００３８】
図５は本発明の実施の形態における施設情報提供システムのデータ登録処理のサブルーチンを示すフローチャートである。
【００３９】
まず、施設１１のリフト１２、飲食店１３及びバス１４の管理者等は、システム管理センタ２１においてデータ登録用端末２２を操作し、リフト１２の稼働時間、飲食店１３の営業時間、バス１４の運行予定等のリフト１２、飲食店１３及びバス１４に関する情報を、利用者１６に対して提供する施設１１に関する情報として、あらかじめＣＴＩサーバ２３のデータベース３２に登録しておく。
【００４０】
そして、前記施設１１の利用者１６は、前記システム管理センタ２１のデータ登録用端末２２、又は、自分の所持する携帯情報端末１５を操作して、利用者１６の名前を前記データベース３２に登録する。続いて、前記利用者１６は、前記施設１１に関する情報を送信するための配信先として、自分の所持する携帯情報端末１５を前記データベース３２に登録する。この場合、前記携帯情報端末１５のＩＤとして、電話番号、電子メールアドレス等を登録する。
【００４１】
続いて、前記利用者１６は、自分で受け取る前記施設１１に関する情報のデータ形式、すなわち、前記属性Ａをどれにするか判断する。なお、前記データ形式は、音声、電子メール、画像データ等を含むものである。そして、前記施設１１に関する情報を電子メールで受け取ることを選択した場合、すなわち、電子メール形式を選択した場合、電子メール形式を設定する。これにより、前記データベース３２の属性Ａのコラムにデータ形式が電子メールとして設定される。また、前記施設１１に関する情報を音声で受け取ることを選択した場合、すなわち、音声形式を選択した場合、音声形式を設定する。これにより、前記データベース３２の属性Ａのコラムにデータ形式が音声として設定される。
【００４２】
続いて、前記利用者１６は、自分で受け取る前記施設１１に関する情報の種類をどれにするか、すなわち、前記属性Ｂに設定されるデータ種類を判断する。なお、前記情報の種類は、飲食店１３の営業時間、リフト１２の稼働時間、バス１４のダイヤ等を含むものである。そして、前記施設１１に関する情報として飲食店１３の営業時間を受け取ることを選択した場合、飲食店１３の営業時間を設定する。また、前記施設１１に関する情報としてリフト１２の稼働時間を受け取ることを選択した場合、リフト１２の稼働時間を設定する。さらに、前記施設１１に関する情報としてバス１４の発車時刻としてのダイヤを受け取ることを選択した場合、バス１４のダイヤを設定する。また、前記利用者１６は、前記施設１１に関する情報が前記携帯情報端末１５に送信されるタイミングとして、データの取得時刻を前記データベース３２に登録する。なお、前記データの取得時刻は、○○時○○分、３０分毎、最終時刻等を含むものである。ここで、データの取得時刻は任意に指定することができる。また、指定しない場合には、あらかじめ設備毎に設定されているデータ配信タイミングが使用される。
【００４３】
続いて、前記利用者１６は、属性Ｂの付帯情報の有無を判断し、付帯情報がある場合には登録する。なお、前記付帯情報はリフト１２の位置を示す地図、運行情報等を含むものである。そして、前記付帯情報のデータの配信タイミングに時刻指定があるか否か、すなわち、前記付帯情報にデータ配信時刻の指定があるか否かを判断し、指定がある場合には、属性Ｃに設定されている配信時刻、すなわち、利用者１６が指定した前記情報を携帯情報端末１５に送信するタイミングを、付帯情報と連動して前記データベース３２に登録して処理を終了する。また、指定がない場合には、属性Ｂに設定されている配信時刻を前記データベース３２に登録して処理を終了する。
【００４４】
次に、フローチャートについて説明する。
ステップＳ２−１  利用者１６の名前を登録する。
ステップＳ２−２  利用者１６の携帯情報端末１５を登録する。
ステップＳ２−３  データ形式が電子メール形式であるか音声形式であるかを判断する。データ形式が電子メール形式である場合はステップＳ２−４に進み、データ形式が音声形式である場合はステップＳ２−５に進む。
ステップＳ２−４  電子メール形式に設定する。
ステップＳ２−５  音声形式に設定する。
ステップＳ２−６  データ種類が飲食店１３の営業時間、リフト１２の稼働時間及びバス１４のダイヤのいずれであるかを判断する。データ種類が飲食店１３の営業時間である場合はステップＳ２−７に進み、データ種類がリフト１２の稼働時間である場合はステップＳ２−８に進み、データ種類がバス１４のダイヤである場合はステップＳ２−９に進む。
ステップＳ２−７  飲食店１３の営業時間に設定する。
ステップＳ２−８  リフト１２の稼働時間に設定する。
ステップＳ２−９  バス１４のダイヤに設定する。
ステップＳ２−１０  付帯情報があるか否かを判断する。付帯情報がある場合はステップＳ２−１１に進み、付帯情報がない場合はステップＳ２−１３に進む。
ステップＳ２−１１  付帯情報を登録する。
ステップＳ２−１２  付帯情報のデータの配信タイミングに時刻指定があるか否かを判断する。付帯情報のデータの配信タイミングに時刻指定がある場合はステップＳ２−１４に進み、付帯情報のデータの配信タイミングに時刻指定がない場合はステップＳ２−１３に進む。
ステップＳ２−１３  属性Ｂに設定されている配信時刻を登録する。
ステップＳ２−１４  属性Ｃに設定されている配信時刻を登録する。
【００４５】
このように、本実施の形態においては、利用者１６は、自分の所持する携帯情報端末１５、自分で受け取る施設１１に関する情報、該情報の取得時刻、前記情報のデータ形式等をＣＴＩサーバ２３のデータベース３２に登録しておくことによって、利用者１６が自分で選択した内容の情報が自分で選択したタイミングで、携帯情報端末１５に送信される。そのため、前記利用者１６は、不要な情報に煩わされることなく、施設１１に関する所望の情報を適切なタイミングで容易に、かつ、確実に取得することができる。
【００４６】
また、前記施設１１がスキー場のように、天候や利用者１６の位置している場所によっては、外部から情報を得にくい場所であっても、利用者１６の所望の情報を所望の時刻に自分の所有する携帯情報端末１５で、確実に取得することができる。
【００４７】
なお、本発明は前記実施の形態に限定されるものではなく、本発明の趣旨に基づいて種々変形させることが可能であり、それらを本発明の範囲から排除するものではない。
【図面の簡単な説明】
【００４８】
【図１】本発明の実施の形態における施設情報提供システムの構成を示す図である。
【図２】本発明の実施の形態におけるＣＴＩサーバの機能構成を示すブロック図である。
【図３】本発明の実施の形態におけるデータベースの構成例を示す図である。
【図４】本発明の実施の形態における施設情報提供システムの動作を示すフローチャートである。
【図５】本発明の実施の形態における施設情報提供システムのデータ登録処理のサブルーチンを示すフローチャートである。
【符号の説明】
【００４９】
１０    施設情報提供システム
１１    施設
１５    携帯情報端末
１６    利用者
２２    データ登録用端末
２３    ＣＴＩサーバ
３２    データベース
【図１】
2005352827.tif 000003
【図２】
2005352827.tif 000004
【図３】
2005352827.tif 000005
【図４】
2005352827.tif 000006
【図５】
2005352827.tif 000007